(57)【要約】  本発明の電気ケトルは、上部前方に注出口が設けられたケトル本体と、ケトル本体内に収容され、液体が入れられる内容器と、内容器の上部開口を塞ぐように着脱自在に取り付けられた蓋体と、ケトル本体の上部後方に設けられた沸騰検知用チャンバー内に設けられ、内容器内の液体の沸騰を検知する沸騰検知部とを備え、ケトル本体の上部には、沸騰検知用チャンバー内に供給された蒸気及びその結露水を注出口に排出する蒸気排出路が形成されている。この構成により、蒸気排出路を通る結露水により電気ケトルの周りが濡れることを抑えることができる。
2014024238.tif 000002
【特許請求の範囲】
【請求項１】
上部前方に注出口が設けられたケトル本体と、
前記ケトル本体内に収容され、液体が入れられる内容器と、
前記内容器の上部開口を開閉可能な蓋体と、
前記ケトル本体の上部後方に設けられた沸騰検知用チャンバー内に設けられ、前記内容器内の前記液体の沸騰を検知する沸騰検知部と、
を備え、
前記ケトル本体の上部には、前記沸騰検知用チャンバー内に供給された蒸気及びその結露水を前記注出口に排出する蒸気排出路が形成されている、電気ケトル。
【請求項２】
前記蒸気排出路は、前記沸騰検知用チャンバーと連通する入口と、前記注出口と連通する出口を除いて密閉された通路である、請求項１に記載の電気ケトル。
【請求項３】
前記蒸気排出路の底部は、前記沸騰検知用チャンバーから注出口に向かうに従い下方に傾斜するように設けられている、請求項１に記載の電気ケトル。
【請求項４】
前記蒸気排出路の出口の最下点と前記注出口の最下点の高さが一致している、請求項３に記載の電気ケトル。
【請求項５】
前記蒸気排出路は、平面視において前記沸騰検知用チャンバーと前記注出口とを結ぶ前記内容器の上部開口の周辺部の２つの経路のうちの一方の経路にのみ設けられている、請求項１に記載の電気ケトル。
【請求項６】
前記沸騰検知用チャンバー内に前記内容器内の蒸気を取り込む蒸気取込口が、平面視において前記沸騰検知部と前記注出口とを結ぶ直線に対して、前記蒸気排出路が設けられている側とは反対側に設けられている、請求項５に記載の電気ケトル。
【請求項７】
前記蒸気排出路の出口が前記注出口に設けられたフィルタよりも外側に設けられている、請求項１に記載の電気ケトル。
【請求項８】
前記沸騰検知用チャンバーの少なくとも一部は、前記内容器の直上に位置し、当該一部に前記内容器と連通する蒸気取込穴が設けられている、請求項１に記載の電気ケトル。
【請求項９】
平面視において前記蒸気取込穴と前記沸騰検知部の感熱面とが異なる位置に設けられている、請求項８に記載の電気ケトル。
【発明の詳細な説明】
【技術分野】
【０００１】
本発明は、内容器内の液体の沸騰を検知する沸騰検知部を備える電気ケトルに関し、特に、当該沸騰検知部へ誘導された蒸気を排出するための蒸気排出路の構造に関する。
【背景技術】
【０００２】
従来、この種の電気ケトルとしては、例えば、特許文献１（特開２００９−１７２１７２号公報）及び特許文献２（特開２０１２−０８１２４５号公報）に開示されたものが知られている。【０００３】
特許文献１の電気ケトルは、筒状の胴体（ケトル胴体ともいう）と、胴体の下部開口を塞ぐように取り付けられた底体と、胴体内に収容される内容器と、内容器を加熱するヒータと、胴体の上部開口を塞ぐように着脱自在に取り付けられた蓋体とを備えている。【０００４】
蓋体には、内容器内で発生した蒸気を排出するための蒸気排出口と、内容器の内部と蒸気排出口とを連通する蒸気通路とが設けられている。また、ケトル胴体には、断面Ｕ字状の把手が取り付けられ、当該把手の上部には、内容器内で発生した蒸気に触れることにより、内容器内の液体の沸騰を検知する沸騰検知部が内蔵されている。【０００５】
また、特許文献１の電気ケトルには、蓋体の蒸気通路を通る蒸気を分岐して沸騰検知部へ誘導する蒸気導入路と、沸騰検知部へ誘導された蒸気を外部に排出するための蒸気排出路とが設けられている。【０００６】
特許文献１の電気ケトルにおいては、蒸気排出路を内容器の近くに配置するようにしている。これにより、蒸気排出路を通る蒸気を内容器の熱により蒸発させ、蒸気がそのまま外部に排出されることを回避するようにしている。【０００７】
一方、特許文献２には、蒸気排出路の出口が内容器のフランジ部と蓋体のフランジ部と蓋体の外周面と胴体の内周面とに囲まれた隙間を通じて注出口に連通するようにした電気ケトルが開示されている。
【先行技術文献】
【特許文献】
【０００８】
【特許文献１】特開２００９−１７２１７２号公報
【特許文献２】特開２０１２−０８１２４５号公報
【発明の概要】
【発明が解決しようとする課題】
【０００９】
しかしながら、特許文献１の電気ケトルにおいては、蒸気排出路を通る蒸気が内容器の熱により完全に蒸発せずに、その一部が蒸気排出路内に残留することが起こり得る。この残留した蒸気は、例えば、内容器が冷めることにより蒸気排出路内で結露し、その結露水が、使用者の意図しないタイミングでケトル外部に排出されることが起こり得る。この場合、特許文献１の電気ケトルにおいて蒸気排出路は内容器の側壁に沿うように下向きに設けられているので、結露水は重力により落下し、電気ケトルの周りを濡らすことになる。【００１０】
これに対して、特許文献２の電気ケトルによれば、蒸気排出路を通る蒸気を前記隙間を通じて注出口に排出するようにしているので、結露水を内容器内の水と一緒にケトル外部に排出することができる。これにより、結露水が、使用者の意図しないタイミングでケトル外部に排出されることを抑えることができる。【００１１】
しかしながら、特許文献２の電気ケトルにおいては、前記隙間内で結露し蓋体の外周面に付着した結露水が、蓋体を開けた際にケトル外部に排出され、ケトルの周りを濡らすことが起こり得る。【００１２】
従って、本発明の目的は、前記課題を解決することにあって、蒸気排出路を通る結露水により電気ケトルの周りが濡れることを抑えることができる電気ケトルを提供することにある。
【課題を解決するための手段】
【００１３】
前記目的を達成するために、本発明は以下のように構成する。
本発明によれば、上部前方に注出口が設けられたケトル本体と、
前記ケトル本体内に収容され、液体が入れられる内容器と、
前記内容器の上部開口を開閉可能な蓋体と、
前記ケトル本体の上部後方に設けられた沸騰検知用チャンバー内に設けられ、前記内容器内の前記液体の沸騰を検知する沸騰検知部と、
を備え、
前記ケトル本体の上部には、前記沸騰検知用チャンバー内に供給された蒸気及びその結露水を前記注出口に排出する蒸気排出路が形成されている、電気ケトルを提供する。
【発明の効果】
【００１４】
本発明にかかる電気ケトルによれば、沸騰検知用チャンバー内に供給された蒸気及びその結露水を注出口に排出するように蒸気排出路が形成されているので、蒸気排出路を通る結露水により電気ケトルの周りが濡れることを抑えることができる。【００１５】
また、本発明にかかる電気ケトルによれば、蒸気排出路がケトル本体の上部に設けられているので、蒸気排出路を通る結露水は蓋体の外周面に付着しない。したがって、当該結露水により電気ケトルの周りが濡れることを抑えることができる。
【図面の簡単な説明】
【００１６】
本発明のこれらと他の目的と特徴は、添付された図面についての好ましい実施形態に関連した次の記述から明らかになる。この図面においては、
【図１】図１は、本発明の実施形態にかかる電気ケトルの斜視図であり、
【図２】図２は、図１の電気ケトルの分解斜視図であり、
【図３】図３は、図１の電気ケトルの縦断面図であり、
【図４】図４は、図１の電気ケトルの蓋体を開けた状態を示す断面図であり、
【図５】図５は、図１の電気ケトルの一部拡大断面図であり、
【図６】図６は、図１の電気ケトルの横断面図であり、
【図７】図７は、図１の電気ケトルの蒸気排出路の構成を一部断面で示す斜視図であり、
【図８】図８は、図１の電気ケトルの蒸気排出路の構成を一部断面で示す斜視図であり、
【図９】図９は、図１の電気ケトルの蒸気排出路の構成を一部断面で示す斜視図である。
【発明を実施するための形態】
【００１７】
本発明の第１態様によれば、上部前方に注出口が設けられたケトル本体と、
前記ケトル本体内に収容され、液体が入れられる内容器と、
前記内容器の上部開口を開閉可能な蓋体と、
前記ケトル本体の上部後方に設けられた沸騰検知用チャンバー内に設けられ、前記内容器内の前記液体の沸騰を検知する沸騰検知部と、
を備え、
前記ケトル本体の上部には、前記沸騰検知用チャンバー内に供給された蒸気及びその結露水を前記注出口に排出する蒸気排出路が形成されている、電気ケトルを提供する。
【００１８】
本発明の第２態様によれば、前記蒸気排出路は、前記沸騰検知用チャンバーと連通する入口と、前記注出口と連通する出口を除いて密閉された通路である、第１態様に記載の電気ケトルを提供する。
【００１９】
本発明の第３態様によれば、前記蒸気排出路の底部は、前記沸騰検知用チャンバーから注出口に向かうに従い下方に傾斜するように設けられている、第１又は２態様に記載の電気ケトルを提供する。
【００２０】
本発明の第４態様によれば、前記蒸気排出路の出口の最下点と前記注出口の最下点の高さが一致している、第３態様に記載の電気ケトルを提供する。
【００２１】
本発明の第５態様によれば、前記蒸気排出路は、平面視において前記沸騰検知用チャンバーと前記注出口とを結ぶ前記内容器の上部開口の周辺部の２つの経路のうちの一方の経路にのみ設けられている、第１〜４態様のいずれか１つに記載の電気ケトルを提供する。
【００２２】
本発明の第６態様によれば、前記沸騰検知用チャンバー内に前記内容器内の蒸気を取り込む蒸気取込口が、平面視において前記沸騰検知部と前記注出口とを結ぶ直線に対して、前記蒸気排出路が設けられている側とは反対側に設けられている、第５態様に記載の電気ケトルを提供する。
【００２３】
本発明の第７態様によれば、前記蒸気排出路の出口が前記注出口に設けられたフィルタよりも外側に設けられている、第１〜６態様のいずれか１つに記載の電気ケトルを提供する。
【００２４】
本発明の第８態様によれば、前記沸騰検知用チャンバーの少なくとも一部は、前記内容器の直上に位置し、当該一部に前記内容器と連通する蒸気取込穴が設けられている、第１〜７態様のいずれか１つに記載の電気ケトルを提供する。
【００２５】
本発明の第９態様によれば、平面視において前記蒸気取込穴と前記沸騰検知部の感熱面とが異なる位置に設けられている、第８態様に記載の電気ケトルを提供する。
【００２６】
本発明の記述を続ける前に、添付図面において同じ部品については同じ参照符号を付している。
以下、本発明の実施形態について、図面を参照しながら説明する。
【００２７】
《実施形態》
図１は、本発明の実施形態にかかる電気ケトルの斜視図であり、図２はその分解斜視図であり、図３及び図４はその縦断面図である。
【００２８】
図１に示すように、本実施形態にかかる電気ケトルは、給電台１と、当該給電台１に載置されるケトル本体２とを備えている。
【００２９】
図３に示すように、給電台１は、給電台本体１１と、給電台本体１１の上面中央部から上方に突出する電気接続端子部１２と、給電台本体１１の内部に引き出し可能に収容された電源コード（図示せず）とを備えている。給電台本体１１から電源コードを引き出し、電源コードを商用電源などに接続することで、電気接続端子部１２が電力を供給可能な（給電可能な）状態となる。
【００３０】
ケトル本体２は、略筒状のケトル胴体２１と、ケトル胴体２１の下方開口を塞ぐように設けられた底体２２と、ケトル胴体２１の上部に設けられた略矩形枠状の上枠体２３と、ケトル胴体２１の後方に設けられた断面Ｕ字状の把手２４とを備えている。ケトル胴体２１、底体２２、上枠体２３、及び把手２４は、例えば、樹脂により構成されている。
【００３１】
ケトル胴体２１の内部には、水などの液体が入れられる有底筒状の内容器３１が収容されている。ケトル胴体２１の上部には、図３及び図４に示すように、内容器３１の上部開口を開閉可能な蓋体３２がヒンジ部３２Ａを中心として回動可能に取り付けられている。
【００３２】
ケトル胴体２１の上部前方には、内容器３１内の液体をケトル外部に注ぎ出すための注出口２１Ａが設けられている。注出口２１Ａには、内容器３１内の液体をケトル外部に注ぎ出すときに当該液体中の異物を取り除くフィルタ２５が設けられている。把手２４を持って注出口２１Ａを下に向けるようにケトル本体２を傾けることにより、内容器３１内の液体を、フィルタ２５を通じて注出口２１Ａからケトル外部に注ぎ出すことができる。
【００３３】
内容器３１の底部外面には、図３に示すように、シーズヒータなどのヒータ３３が配設されている。ヒータ３３には、給電台１の電気接続端子部１２と電気的に接続可能な電気接続端子部３３Ａが接続されている。電源コード（図示せず）が商用電源などに接続された状態で給電台１にケトル本体２が載置され、給電台１の電気接続端子部１２がヒータ３３の電気接続端子部３３Ａに接続されることで、ヒータ３３への給電が行われる。これにより、ヒータ３３が内容器３１内の液体を加熱可能となる。ヒータ３３の加熱開始及び加熱停止の指示は、把手２４の上部に設けられた操作ボタン３４を押すことにより切り換えることができる。
【００３４】
図５は、操作ボタン３４の近傍の構造を示す拡大断面図である。図５に示すように、ケトル本体２の上部後方には、内容器３１内で発生した蒸気に触れることにより内容器３１内の液体の沸騰を検知する沸騰検知部３５が設けられている。沸騰検知部３５は、内容器３１内の液体の沸騰を検知したとき、ヒータ３３の加熱を停止させるよう構成されている。例えば、沸騰検知部３５は、バイメタルを備え、当該バイメタルが内容器３１内で発生した蒸気に触れて変形することで、操作ボタン３４のオン／オフを切り換えられるように構成されている。
【００３５】
沸騰検知部３５は、沸騰検知用チャンバー３６内に設けられている。沸騰検知用チャンバー３６は、沸騰検知部３５が内容器３１内の液体の沸騰を検知するために略必要最小限の蒸気を取り込める大きさに構成されている。言い換えれば、沸騰検知用チャンバー３６は、沸騰検知部３５が内容器３１内の液体の沸騰を検知するために必要な蒸気を取り込むための専用のチャンバーである。
【００３６】
また、沸騰検知用チャンバー３６は、沸騰検知部３５の収納部分に関しては、沸騰検知部３５の広さと略同じ広さを有している。また、沸騰検知部３５の感熱面が沸騰検知用チャンバー３６の空間に露出するように、沸騰検知部３５は沸騰検知用チャンバー３６内に配置されている。更に、沸騰検知用チャンバー３６の底面から上面までは、約５ｍｍ以上の寸法が確保されている。このような構成とすることにより、沸騰検知部３５の下方部分の結露を防止し、沸騰検知部３５の検知温度特性を良好な状態に維持することができる。
【００３７】
また、沸騰検知用チャンバー３６内の、沸騰検知部３５の収納部分は、蒸気取込口３７の開口上部を避けた位置に配置されている。
【００３８】
沸騰検知用チャンバー３６は、その一部が内容器３１の直上（鉛直上方）に位置し、当該一部に内容器６内と連通する蒸気取込穴３７が設けられている。これにより、沸騰検知部３５を内容器３１にできる限り近づけて、沸騰検知部３５の沸騰検知精度を向上させるようにしている。なお、沸騰検知部３５を内容器３１から離して設けた場合、内容器３１内で発生した蒸気の温度は内容器３１から離れるに従い低下するので、沸騰検知部３５の沸騰検知精度は低下することになる。
【００３９】
また、蒸気取込穴３７は、平面視において沸騰検知部３５の感熱面と異なる位置に設けられている。すなわち、蒸気取込穴３７は、沸騰検知部３５の感熱面の直下に位置しないように設けられている。これにより、沸騰検知部３５の感熱面が結露して沸騰検知部３５の沸騰検知精度が低下することを抑えるようにしている。
【００４０】
図６は、沸騰検知用チャンバー３６を横切るように切断した本実施形態にかかる電気ケトルの横断面図である。なお、図３は、図６の一点破線で示す直線Ｌ１で切断した縦断面図である。
【００４１】
図６に示すように、沸騰検知用チャンバー３６内には、蒸気誘導壁３８が設けられている。蒸気誘導壁３８は、蒸気取込穴３７から取り込まれた蒸気を蒸気検知部３５へ誘導するとともに、当該蒸気検知部３５へ誘導された蒸気を蒸気排出路３９の入口に誘導するように設けられている。
【００４２】
蒸気排出路３９は、沸騰検知用チャンバー３６内に供給された蒸気及びその結露水を注出口２１Ａに排出する通路である。蒸気排出路３９は、上枠体２３とケトル胴体２１の上部との間に形成されている。
【００４３】
また、蒸気排出路３９は、図６に示すように、平面視において沸騰検知用チャンバー３６と注出口２１Ａとを結ぶ内容器３１の上部開口の周辺部の２つの経路４０Ａ，４０Ｂのうちの一方の経路４０Ａにのみ設けられている。経路４０Ｂの沸騰検知用チャンバー３６の近傍には、蒸気取込穴３７から取り込まれた蒸気が経路４０Ｂに流れないように蒸気流入阻止壁４１が設けられている。これにより、蒸気取込穴３７から取り込まれた蒸気が沸騰検知部３５へ流れるように促し、沸騰検知部３５の沸騰検知精度を向上させるようにしている。
【００４４】
蒸気取込穴３７は、図６に示すように、平面視において沸騰検知部３５と注出口２１Ａとを結ぶ直線Ｌ１に対して、蒸気排出路３９が設けられている側とは反対側に設けられている。これにより、蒸気取込穴３７から取り込まれた蒸気が沸騰検知部３５、蒸気排出路３９、注出口２１Ａの順に流れやすくしている。
【００４５】
また、蒸気排出路３９は、沸騰検知用チャンバー３６と連通する入口と、注出口２１Ａと連通する出口を除いて密閉されるように形成されている。これにより、沸騰検知用チャンバー３６内に供給された蒸気及びその結露水が、より確実に注出口２１Ａに排出されるようにしている。なお、蒸気排出路３９の途中に内容器３１と連通する穴を設けた場合には、内容器３１内で発生した蒸気が当該穴を通じて蒸気排出路３９内に取り込まれ、当該蒸気排出路３９を逆流することが起こり得る。この場合、沸騰検知用チャンバー３６内に供給された蒸気及びその結露水の注出口２１Ａへの流れが阻害される。
【００４６】
図７〜図９は、蒸気排出路３９の構成を示す斜視図である。図７〜図９において、網目線で示す部分は、蒸気排出路３９の底部を示している。
【００４７】
蒸気排出路３９の底部は、図７〜図９に示すように、沸騰検知用チャンバー３６から注出口２１Ａに向かうに従い下方に傾斜するように設けられている。これにより、蒸気排出路３９内で結露水が残留することを抑えるようにしている。なお、蒸気排出路３９の出口の最下点と注出口２１Ａの最下点の高さは一致していることが好ましい。これにより、限られた高さの空間内において、蒸気排出路３９の底部の勾配を最大限に確保することができる。
【００４８】
本実施形態にかかる電気ケトルによれば、沸騰検知用チャンバー３６内に供給された蒸気及びその結露水を注出口２１Ａに排出するように蒸気排出路３９が形成されているので、蒸気排出路３９を通る結露水により電気ケトルの周りが濡れることを抑えることができる。
【００４９】
また、本実施形態にかかる電気ケトルによれば、蒸気排出路３９がケトル本体２の上部に設けられているので、蒸気排出路３９を通る結露水は蓋体３２の外周面に付着しない。したがって、当該結露水により電気ケトルの周りが濡れることを抑えることができる。
【００５０】
なお、本発明は前記実施形態に限定されるものではなく、その他種々の態様で実施できる。例えば、前記では、蒸気排出路３９の出口がフィルタ２５よりも内側に設けられるものとしたが、本発明はこれに限定されない。例えば、蒸気排出路３９の出口は、フィルタ２５よりも外側に設けられてもよい。この場合、蒸気排出路３９の流路抵抗を減らすことができる。また、蒸気排出路３９内の結露水は、一旦沸騰され、蒸留されているので、フィルタ２５を通さずに排出しても問題はない。
【００５１】
本発明は、添付図面を参照しながら好ましい実施の形態に関連して充分に記載されているが、この技術に熟練した人々にとっては種々の変形や修正は明白である。そのような変形や修正は、添付した請求の範囲による本発明の範囲から外れない限りにおいて、その中に含まれると理解されるべきである。
【産業上の利用可能性】
【００５２】
本発明にかかる電気ケトルは、蒸気排出路を通る結露水により電気ケトルの周りが濡れることを抑えることができるので、全ての電気ケトルに有用である。
【符号の説明】
【００５３】
１    給電台
２    ケトル本体
１１    給電体本体
１２    電気接続端子部
２１    ケトル胴体（胴体）
２１Ａ  注出口
２２    底体
２３    上枠体
２４    把手
２５    フィルタ
３１    内容器
３２    蓋体
３３    ヒータ
３３Ａ  電気接続端子部
３４    操作ボタン
３５    沸騰検知部
３６    沸騰検知用チャンバー
３７    蒸気取込口
３８    蒸気誘導壁
３９    蒸気排出路
４０Ａ，４０Ｂ  経路
４１    蒸気流入阻止壁
【図１】
2014024238.tif 000003
【図２】
2014024238.tif 000004
【図３】
2014024238.tif 000005
【図４】
2014024238.tif 000006
【図５】
2014024238.tif 000007
【図６】
2014024238.tif 000008
【図７】
2014024238.tif 000009
【図８】
2014024238.tif 000010
【図９】
2014024238.tif 000011
【手続補正書】
【提出日】平成27年11月13日(2015.11.13)
【手続補正１】
【補正対象書類名】特許請求の範囲
【補正対象項目名】全文
【補正方法】変更
【補正の内容】
【特許請求の範囲】
【請求項１】
上部前方に注出口が設けられたケトル本体と、
前記ケトル本体内に収容され、液体が入れられる内容器と、
前記内容器の上部開口を開閉可能な蓋体と、
前記ケトル本体の上部後方に設けられた沸騰検知用チャンバー内に設けられ、前記内容器内の前記液体の沸騰を検知する沸騰検知部と、
前記ケトル本体の上部に設けられた上枠体と、
を備え、
前記上枠体と前記ケトル本体の上部との間には、前記沸騰検知用チャンバー内に供給された蒸気及びその結露水を前記注出口に排出する蒸気排出路が形成されている、電気ケトル。
【請求項２】
前記蒸気排出路は、前記沸騰検知用チャンバーと連通する入口と、前記注出口と連通する出口を除いて密閉された通路である、請求項１に記載の電気ケトル。
【請求項３】
前記蒸気排出路の底部は、前記沸騰検知用チャンバーから注出口に向かうに従い下方に傾斜するように設けられている、請求項１に記載の電気ケトル。
【請求項４】
前記蒸気排出路の出口の最下点と前記注出口の最下点の高さが一致している、請求項３に記載の電気ケトル。
【請求項５】
前記蒸気排出路は、平面視において前記沸騰検知用チャンバーと前記注出口とを結ぶ前記内容器の上部開口の周辺部の２つの経路のうちの一方の経路にのみ設けられている、請求項１に記載の電気ケトル。
【請求項６】
前記沸騰検知用チャンバー内に前記内容器内の蒸気を取り込む蒸気取込口が、平面視において前記沸騰検知部と前記注出口とを結ぶ直線に対して、前記蒸気排出路が設けられている側とは反対側に設けられている、請求項５に記載の電気ケトル。
【請求項７】
前記蒸気排出路の出口が前記注出口に設けられたフィルタよりも外側に設けられている、請求項１に記載の電気ケトル。
【請求項８】
前記沸騰検知用チャンバーの少なくとも一部は、前記内容器の直上に位置し、当該一部に前記内容器と連通する蒸気取込穴が設けられている、請求項１に記載の電気ケトル。
【請求項９】
平面視において前記蒸気取込穴と前記沸騰検知部の感熱面とが異なる位置に設けられている、請求項８に記載の電気ケトル。
【手続補正２】
【補正対象書類名】明細書
【補正対象項目名】００１３
【補正方法】変更
【補正の内容】
【００１３】
前記目的を達成するために、本発明は以下のように構成する。
本発明によれば、上部前方に注出口が設けられたケトル本体と、
前記ケトル本体内に収容され、液体が入れられる内容器と、
前記内容器の上部開口を開閉可能な蓋体と、
前記ケトル本体の上部後方に設けられた沸騰検知用チャンバー内に設けられ、前記内容器内の前記液体の沸騰を検知する沸騰検知部と、
を備え、
前記ケトル本体の上部には、前記沸騰検知用チャンバー内に供給された蒸気及びその結露水を前記注出口に排出する蒸気排出路が形成されている、電気ケトルを提供する。
【手続補正３】
【補正対象書類名】明細書
【補正対象項目名】００１４
【補正方法】変更
【補正の内容】
【００１４】
本発明の第１態様によれば、上部前方に注出口が設けられたケトル本体と、
前記ケトル本体内に収容され、液体が入れられる内容器と、
前記内容器の上部開口を開閉可能な蓋体と、
前記ケトル本体の上部後方に設けられた沸騰検知用チャンバー内に設けられ、前記内容器内の前記液体の沸騰を検知する沸騰検知部と、
前記ケトル本体の上部に設けられた上枠体と、
を備え、
前記上枠体と前記ケトル本体の上部との間には、前記沸騰検知用チャンバー内に供給された蒸気及びその結露水を前記注出口に排出する蒸気排出路が形成されている、電気ケトルを提供する。
【国際調査報告】
2014024238.tif 000012
2014024238.tif 000013
2014024238.tif 000014
2014024238.tif 000015